(57)【要約】【課題】  ボイラーを駆動させたときに発生する熱を外部に排出し、ハウジングの高温化を防ぐ方法であるスチーム洗浄機の熱処理方法を提供する。【解決手段】  水を加熱しスチームにするヒータと、水を注水するための注水パイプ１７及び加熱されたスチームを排出するスチーム排出口１８を備えた水を収納するタンクからなるボイラー３と、スチームの排出量を調整するスチーム量調整ダイヤル付タップ１４と、洗浄機ハウジング２側面に設けられたスチームホース等を接続する接続口９と、スチームを前記ボイラー３より前記接続口９に導くスチームチューブ１３とを搭載したスチーム洗浄機において、前記洗浄機内に冷却ファン１５を搭載し、前記冷却ファン１５を搭載している位置で、洗浄機ハウジング２に通気孔１０を開けたものである。【選択図】  図１
2006272245.tif 000002
【特許請求の範囲】
【請求項１】
水を加熱しスチームにするヒータと、水を注水するための注水パイプ及び加熱されたスチームを排出するスチーム排出口を備えた水を収納するタンクからなるボイラーと、スチームの排出量を調整するスチーム量調整ダイヤル付タップと、洗浄機ハウジング側面に設けられたスチームホース等を接続する接続口と、スチームを前記ボイラーより前記接続口に導くスチームチューブとを搭載したスチーム洗浄機において、
前記洗浄機内に冷却ファンを搭載したことを特徴とするスチーム洗浄機。
【請求項２】
前記冷却ファンを搭載している位置で、洗浄機ハウジングに通気孔を設けたことを特徴とする請求項１記載のスチーム洗浄機。
【請求項３】
前記通気孔の形成位置で、ハウジング外部面にフィードを形成したことを特徴とする請求項２記載のスチーム洗浄機。
【発明の詳細な説明】
【技術分野】
【０００１】
本発明は、蒸気を利用した洗浄機の熱対策に関するものである。
【背景技術】
【０００２】
一般掃除、洗浄、脱脂及び殺菌等に利用され、構成として、ヒータを備えたボイラーと、前記ボイラー内に水を供給する給水管と、前記ボイラー内で水をスチームに変換し該スチームをジェット状のジェット水流として噴出する出口ノズルとを、備えた洗浄装置は従来から知られている。（特許文献１参照）
【特許文献１】特開２００３−１８１３９２
【発明の開示】
【発明が解決しようとする課題】
【０００３】
従来の蒸気洗浄機において、装置内の前記ボイラーの外側にはサーモスタットが取り付けられ、ボイラーが過剰に温度上昇した際、ヒータの動作を自動的に停止するように電気的に接続されている。サーモスタットを取り付けることで、火災などの発生を防止はできるが、蒸気化させるためにはボイラー内の温度を１００℃以上に設定する必要があるため、ボイラーは高熱を帯びるようになる。その熱は洗浄機内の空気を加熱させ、さらに洗浄機のハウジングへと熱が伝わりハウジングも高温化する。そのため、高温化したハウジングは人体に火傷を負わせる可能性がある。
【０００４】
前記対策として、ボイラーの天面やボイラー全体を、断熱材で覆うことで、ハウジング内の空気に熱を伝わらせないようにしている。しかし、断熱材だけでは完全に熱を遮断することは不可能であり、ハウジング及び内部の空気がどうしても高温になる。そして、高温になっているハウジングに触れたまま長時間使用した場合、低温火傷を覆う可能性がある。
【０００５】
そこで、本発明は上記問題点を考慮し、スチーム洗浄機の有効的な熱対策を提供する。
【課題を解決するための手段】
【０００６】
請求項１に関する発明は、水を加熱しスチームにするヒータと、水を注水するための注水パイプ及び加熱されたスチームを排出するスチーム排出口を備えた水を収納するタンクからなるボイラーと、スチームの排出量を調整するスチーム量調整ダイヤル付タップと、洗浄機ハウジング側面に設けられたスチームホース等を接続する接続口と、スチームを前記ボイラーより前記接続口に導くスチームチューブとを搭載したスチーム洗浄機において、前記洗浄機内に冷却ファンを搭載したことを特徴とするスチーム洗浄機を提供するものである。
【０００７】
請求項２に関する発明は、前記冷却ファンを搭載している位置で、洗浄機ハウジングに通気孔を設けたことを特徴とする請求項１記載のスチーム洗浄機を提供するものである。
【０００８】
請求項３に関する発明は、前記通気孔の形成位置で、ハウジング外部面にフィードを形成したことを特徴とする請求項２記載のスチーム洗浄機を提供するものである。
【発明の効果】
【０００９】
請求項1に関する発明において、図１、２のように冷却ファンを搭載することで、冷却ファンで本装置ハウジング内の空気をかき回し、ボイラータンク周辺の熱を拡散させている。これにより、発生する熱がハウジングの上方に当たって高温になっていたものを、熱を拡散させることで、ハウジング全体に熱を当てるようにして、局所的な高温化を抑えることが出来る。
【００１０】
しかし、請求項１の発明では、ハウジング内の熱を分散しきれないほどの高温になる場合がある。その際、請求項２に関する発明のように、図３よりハウジングの冷却ファン搭載位置付近に通気孔を設けることで、前記冷却ファンにかき回された熱気が通気孔を通って外部へ放出される。これにより、低温火傷の恐れがなくなり、また、ハウジングの温度上昇を抑えることができるので、従来よりも耐熱性の低い樹脂の使用も可能になる。
【００１１】
また、請求項３に関する発明において、図１、２のように、通気孔の形成位置の上方にフィードを設けて、通気孔から排出される熱気が、直接人体にかかるのを防いでいる。特に図１、２のようにスチームホース接続口からスチームホースを外す際に、手が通気孔の近くで触れるため、フィードを設けて、排出熱を避ける必要がある。
【発明を実施するための最良の形態】
【００１２】
以下、本発明の一実施形態について、図１から図４に基づいて説明する。
【００１３】
（１）洗浄機の構造
図１から図４に基づいて、本発明の冷却ファンを搭載した洗浄機の構造例について説明する。
【００１４】
図１、２において、本発明の洗浄機１の内部には、水を蒸気化するためのボイラー３が備えられている。そして、このボイラー３には、ボイラー３で発生したスチームを前記スチームホース接続口９まで導くスチームチューブ１３が接続されており、このチューブ１３にはスチームの排出量を調整するためのタップ１４が接続されている。さらに、このタップ１４は前記スチーム排出量調整ダイヤル６と一体になっている。また、前記下部ハウジング側面には、前記接続口９の下に設けるように、冷却ファン１５aが前記通気孔１０と近接して取り付けられている。そして、通気孔１０の上方にはフィード２０aが設けられている。また、底部にはハウジング内に溜まった水を外部に出すための水抜き孔１２が設けられている。さらに、前記冷却ファン１５aとは反対側面には、電源ユニット１１が備えられており、そこから各制御部に対して配電している。
【００１５】
図３において、本発明の洗浄機１のハウジング２は、上下に分離することができるようになっている。上部ハウジングの天面には、洗浄機の主電源スイッチ４と、ヒータ駆動スイッチ５と、スチーム排出量を調整するダイヤル６と、本装置を持ち運ぶためのハンドル７と、水を入れるための注水口とを備えており、この注水口の蓋には安全バルブ８が設けられている。また、上部ハウジング側面には、洗浄物に向けてスチームを放出するためのノズルやホース等を接続するためのスチームホース接続口９が設けられている。そして、下部ハウジングには、前記接続口９側の下方に通気孔１０を設けており、この近傍に本発明の冷却ファン１５aが取り付けられ、ハウジング内の空気を排出している。
【００１６】
図４において、金属製のボイラータンク３の下側面には長角孔が形成されており、この孔に水を加熱するためのヒータが挿入されている。そして、天面には、水あるいは洗浄液を給水するための注水口が設けられ、前記注水口には注水パイプ１７が備えられて、ハウジングに設けられた孔に嵌合している。そして、このパイプの注水口は、安全バルブ８が設けられた蓋で締結されている。また、発生したスチームを排出するために、排出孔１８を設けられており、前記スチームチューブ１３と接続されている。さらに、ハウジングの天面とボイラー３の間には断熱材１９が敷かれている。
【００１７】
（２）動作状態
本洗浄機の主電源スイッチ４をオンにし、ヒータ駆動スイッチ５をオンにした後、ボイラータンク３内のヒータが発熱し、タンク内の水を加熱する。ボイラー３内の水が加熱され高温化すると、高温になった湯がハウジング内の空気を伝導してハウジング２も熱せられる。そして、ハウジング内がある温度以上になると、搭載しているサーモスタット２１がそれを検知し、電気的働きにより冷却ファン１５が駆動する。
【００１８】
冷却ファン１５が駆動すると、ハウジング底面に設けられた水抜き孔１２から外気が入り、ハウジング内で空気が撹拌され、内部の熱気はファンに近接する通気孔１０を通って外部へ放散され、内部が冷却される。
【００１９】
（３）動作の最良状態
本発明において冷却ファン１５の位置を、ボイラー３やスチームチューブ１３に近づき過ぎると、高温に蒸気化した熱も外気へ逃げてしまい、熱効率が悪くなってしまう。それを防ぐためにある程度冷却ファン１５とボイラー３の間隔を開けている。
【００２０】
主電源スイッチ４あるいはヒータ駆動スイッチ５をオフにした直後では、ボイラー３やハウジング内はまだ高温である。そのため、主電源４をオフにしても、冷却ファン１５は継続して動作する必要がある。そして、サーモスタット２１がある温度以下を検知すると、自動的に装置全ての電源を切るような制御を行っている。
【００２１】
（４）変更例
前記実施形態のスチーム洗浄機は、通気孔１０を接続口９の下に設けていたが、ハウジング内のスペースや構造上余裕があれば、図５、図６の実施形態のように、接続口９のハウジング反対側面に通気孔及びフィード２０ｂを設けても良い。
【００２２】
ヒータ駆動スイッチ５がオンになった時点で、冷却ファン１５を駆動するようにしても良い。これは、前記実施形態のように、サーモスタット２１がある温度を検知して、冷却ファン１５が駆動するようにすると、冷却ファン駆動時に高温の熱が一気に噴出し危険であることを考慮している。しかし、この実施形態により、ハウジング内が高温化する前に徐々に熱を排出しているので、極度の高温の熱が噴出する可能性は低くなる。
【産業上の利用可能性】
【００２３】
本発明は、ボイラーから発生する熱対策として、確実に熱を外部に排出させることができるので、低温火傷の恐れがなくなり、また、信頼性が高く、結果、ハウジングの温度上昇を抑えることができる。
【図面の簡単な説明】
【００２４】
【図１】本実施形態のスチーム洗浄機の内部の平面図である。
【図２】本実施形態のスチーム洗浄機の内部の側面図である。
【図３】本実施形態のスチーム洗浄機本体の斜視図である。
【図４】本実施形態のスチーム洗浄機のボイラータンクの斜視図である。
【図５】もう１つの実施形態のスチーム洗浄機の内部の平面図である。
【図６】もう１つの実施形態のスチーム洗浄機の内部の側面図である。
【符号の説明】
【００２５】
１a、1b  スチーム洗浄機
２  ハウジング
３  ボイラー
４  主電源スイッチ
５  ヒータ駆動スイッチ
６  スチーム排出量調整ダイヤル
７  ハンドル
８  安全バルブ
９  スチームホース接続口
１０  通気孔
１１  電源ユニット
１２  水抜き孔
１３  スチームチューブ
１４  タップ
１５a、１５b  冷却ファン
１６  ヒータ挿入孔
１７  注水パイプ
１８  スチーム排出口
１９  断熱材
２０a、２０b  フィード
２１  サーモスタット
【図１】
2006272245.tif 000003
【図２】
2006272245.tif 000004
【図３】
2006272245.tif 000005
【図４】
2006272245.tif 000006
【図５】
2006272245.tif 000007
【図６】
2006272245.tif 000008